(57)【要約】      （修正有）【課題】移動框の移動方向や姿勢をレールなどの構造物で制限せずともスクリーンをスムーズに折り畳むことができるアコーディオンドアを提供する。【解決手段】折り畳み可能に形成されたスクリーン１０の一方側端を固定框１１に取り付けると共に他方側端を移動框１２に取り付け、前記移動框１２を移動させることによって前記スクリーン１０を開閉するアコーディオンドア１において、ケーブル１５Ａ、１５Ｂを巻き取る側に付勢されたリール１３Ａ、１３Ｂを前記固定框１１に取り付けると共に前記スクリーン１０の幅長さの略中央に挿通された前記ケーブル１５Ａ、１５Ｂの先端側を前記移動框１２に取り付けることにより前記スクリーン１０を畳む際に前記リール１３Ａ、１３Ｂに巻き取られるケーブル１５Ａ、１５Ｂの付勢力によって前記スクリーン１０が乱れなく折り畳まれるようにした。【選択図】図１
0003216491.tif 000002
【実用新案登録請求の範囲】
【請求項１】
折り畳み可能に形成されたスクリーンの一方側端を固定框に取り付けると共に他方側端を移動框に取り付け、前記移動框を移動させることによって前記スクリーンを開閉するアコーディオンドアにおいて、
ケーブルを巻き取る側に付勢されたリールを前記固定框に取り付けると共に、前記スクリーンの幅長さの略中央に挿通された前記ケーブルの先端側を前記移動框に取り付けることにより前記スクリーンを畳む際に前記リールに巻き取られるケーブルの付勢力によって前記スクリーンが乱れなく折り畳まれるようにしたことを特徴とするアコーディオンドア。
【請求項２】
請求項１に記載のアコーディオンドアにおいて、
前記ケーブルは、少なくとも高さ位置の異なる複数箇所に配置されると共に、前記ケーブルはそれぞれ同期して前記リールから巻き出し又は巻き取りされるように構成され、それによって前記固定框との平行状態を維持しながら前記移動框を移動可能としたことを特徴とするアコーディオンドア。
【請求項３】
請求項１又は２に記載のアコーディオンドアにおいて、
前記スクリーンは、ハニカムスクリーンであることを特徴とするアコーディオンドア。
【請求項４】
請求項１から３のいずれか１項に記載のアコーディオンドアにおいて、
前記移動框には、前記スクリーンを拡げた状態に保持するためのストッパ部材が設けられていることを特徴とするアコーディオンドア。
【考案の詳細な説明】
【技術分野】
【０００１】
本考案は、アコーディオンドアに関し、さらに詳しくは、折り畳み可能なスクリーンを備えたアコーディオンドアに関する。
【背景技術】
【０００２】
従来、折り畳み可能に形成されたスクリーンの一方側端を固定框に取り付けると共に他方側端を移動框に取り付け、移動框を移動させることによってスクリーンを開閉するアコーディオンドアが周知である。このようなアコーディオンドアは、開き戸を設置するスペースがない場合や、大きな部屋の間仕切りとして有効に利用されている。
【先行技術文献】
【特許文献】
【０００３】
【特許文献１】特開２０１０−７７７０９号公報
【考案の概要】
【考案が解決しようとする課題】
【０００４】
しかしながら、従来のアコーディオンドアのスクリーンは、移動框の移動長さ、すなわち、スクリーンを開いた状態とした場合のスクリーンの移動方向の長さが長くなるとアコーディオンドアを閉めようとした場合にスクリーンが正しく折り畳まれず、様々な方向へ折れ曲がってしまう場合があるという問題があった。また、移動框を移動させる場合に、移動框の高さ方向のほぼ中央を持って移動させないと移動框が垂直状態で正しく移動しないのでスクリーンの折れ曲がりを助長するという問題があった。
【０００５】
そこで、本考案は、以上の事情に鑑みてなされたものであり、移動框の移動長さ、すなわち、スクリーンの移動方向の長さが長くなった場合であってもスクリーンが乱れることなく正しく折り畳むことができるアコーディオンドアを提供することを目的とする。また、移動框が垂直性を保持した状態で移動可能なアコーディオンドアを提供することを目的とする。
【課題を解決するための手段】
【０００６】
上記課題を解決するために請求項１に記載の本考案は、折り畳み可能に形成されたスクリーンの一方側端を固定框に取り付けると共に他方側端を移動框に取り付け、前記移動框を移動させることによって前記スクリーンを開閉するアコーディオンドアにおいて、ケーブルを巻き取る側に付勢されたリールを前記固定框に取り付けると共に、前記スクリーンの幅長さの略中央に挿通された前記ケーブルの先端側を前記移動框に取り付けることにより前記スクリーンを畳む際に前記リールに巻き取られるケーブルの付勢力によって前記スクリーンが乱れなく折り畳まれるようにしたことを特徴とするアコーディオンドアを提供する。
【０００７】
上記課題を解決するために請求項２に記載の本考案は、請求項１に記載のアコーディオンドアにおいて、前記ケーブルは、少なくとも高さ位置の異なる複数箇所に配置されると共に、前記ケーブルはそれぞれ同期して前記リールから巻き出し又は巻き取りされるように構成され、それによって前記固定框との平行状態を維持しながら前記移動框を移動可能としたことを特徴とする。
【０００８】
上記課題を解決するために請求項３に記載の本考案は、請求項１又は２に記載のアコーディオンドアにおいて、前記スクリーンは、ハニカムスクリーンであることを特徴とする。
【０００９】
上記課題を解決するために請求項４に記載の本考案は、請求項１から３のいずれか１項に記載のアコーディオンドアにおいて、前記移動框には、前記スクリーンを拡げた状態に保持するためのストッパ部材が設けられていることを特徴とする。
【考案の効果】
【００１０】
本考案に係るアコーディオンドアによれば、ケーブルを巻き取る側に付勢されたリールを固定框に取り付けると共にスクリーンの幅長さの略中央に挿通されたケーブルの先端側を移動框に取り付けるので、リールがケーブルを巻き取る力によって移動框の移動方向が正しく制限され、スクリーンが乱れなく折り畳まれる。よって、スクリーンの移動方向の長さが長くなった場合であってもスクリーンが乱れることなく正しく折り畳むことができるという効果がある。
【００１１】
また、移動框が垂直性を保持した状態で移動できるのでスクリーンをさらにスムーズに折り畳むことができるという効果がある。
【図面の簡単な説明】
【００１２】
【図１】本実施形態に係るアコーディオンドアの概略斜視図である。
【図２】スクリーンをケーブルの近傍で切断してできる概略断面図である。
【図３】アコーディオンドアをリールの近傍で切断してできる概略断面図である。
【図４】スクリーンを折り畳んだ状態におけるアコーディオンドアの概略断面図である。
【考案を実施するための形態】
【００１３】
以下、本考案に係るアコーディオンドアの好ましい一実施形態について図面を参照しつつ詳細に説明する。
【００１４】
図１は本実施形態に係るアコーディオンドアの概略斜視図、図２はアコーディオンドアのスクリーンをケーブルの近傍で切断してできる概略断面図、図３はアコーディオンドアをリールの近傍で切断してできる概略断面図、図４はスクリーンを折りたたんだ状態におけるアコーディオンドアの概略断面図である。
【００１５】
図示されたアコーディオンドア１は、概略として、折り畳み可能に形成されたスクリーン１０の一方側端を固定框１１に取り付けると共に、他方側端を移動框１２に取り付けて形成されている。固定框１１及び移動框１２は、それぞれ状断面Ｈ字状の棒状部材であり、別途の把持部を設けなくともユーザが容易に手指で把持することができるようになっている。もちろん、高さ方向における中央部に把持部を設けることも可能である。
【００１６】
このアコーディオンドア１は、住居等の部屋の間仕切りや部屋の入り口に設置される。例えば、部屋の入口に配置された固定枠の一方側端に固定框１１を固定する。そして、移動框１２と固定框１１との間隔が変化する方向に移動框１２が移動すると、スクリーン１０が開閉（拡がったり折り畳まれたり）し、部屋の間仕切りや部屋の入り口のドアとして機能させることができる。なお、スクリーン１０の材質は化学繊維（ポリエステルなど）が用いられるがこれに限定されるものではなく、スクリーン１０を天然繊維製、木製、又は樹脂製などとすることも可能である。また、固定框１１及び移動框１２の材質として樹脂が用いられるが、これ限定されるものではなく、これらを木製、又は金属製などとすることも可能である。
【００１７】
このアコーディオンドア１は、紐状のケーブル（コード）１５を巻き取る側にぜんまいバネで付勢されたリール１３を固定框１１に取り付けると共に、スクリーン１０の幅長さの略中央にケーブル１５を挿通する挿通孔１０Ａを形成し、スクリーン１０の挿通孔１０Ａを挿通する当該ケーブル１５の先端側を、移動框１２に取り付けている。従って、スクリーン１０を畳む際に、リール１３に巻き取られるケーブル１５の付勢力によってスクリーン１０が乱れなく折り畳まれる。つまり、移動框１２の移動方向や姿勢をレールなどの構造物で制限せずともスクリーン１０をスムーズに折り畳むことができる。なお、ケーブル１５は化学繊維製（ポリエステルなど）である。但し、ケーブル１５の材質は化学繊維に限定されることはなく、ゲーブル１５を天然繊維製、金属製、樹脂製などとすることも可能である。
【００１８】
また、ケーブル１５は、少なくとも高さ位置の異なる複数箇所に配置することができる。図示された例では、ケーブル１５の配置箇所は２箇所であり、水平方向に延びるスクリーン１０の高さ方向の中心線に対して一対のケーブル１５Ａ、１５Ｂが対称に配置される。一方のケーブル１５Ａの先端側は、固定具１６Ａによって移動框１２に固定されており、他方のケーブル１５Ｂの先端側は、固定具１６Ｂによって移動框１２に固定されている。なお、ケーブル１５を２箇所以上に設ける場合は水平方向に延びるスクリーン１０高さ方向の中心線に対して対称に配置するとよい。また、ケーブルを１箇所設ける場合には水平方向に延びるスクリーン１０高さ方向の中心線に設けることが好ましい。
【００１９】
また、一方のケーブル１５Ａは、固定框１１に取り付けられた回転子１７Ａを介して同じく固定框１１に取り付けられたリール１３Ａに接続されており、他方のケーブル１５Ｂは、固定框１１に取り付けられた回転子１７Ｂを介して同じく固定框１１に取り付けられたリール１３Ｂに接続されている。よって、一方のケーブル１５Ａは、リール１３Ａによって巻き出し又は巻き取りされ、他方のケーブル１５Ｂは、リール１３Ｂによって巻き出し又は巻き取りされる。なお、一対の回転子１７Ａ、１７Ｂは、一対のケーブル１５Ａ、１５Ｂの経路をそれぞれＬ字状に屈曲して一対のリール１３Ａ、１３Ｂへ導くために設けられている。
【００２０】
ここで、一対のリール１３Ａ、１３Ｂはそれぞれ不図示のギヤを有しており、当該ギヤを噛み合わせた状態でそれぞれ固定框１１に軸支されているので、一対のリール１３Ａ、１３Ｂの巻きだし又は巻き取りを連動させることができる。これによって一対のケーブル１５Ａ、１５Ｂは、それぞれ同期して一対のリール１３Ａ、１３Ｂから巻き出し又は巻き取りされ、一対のケーブル１５Ａ、１５Ｂの間で巻きだし量又は巻き取り量が共通に維持されることとなる。従って、移動框１２は、固定框１１との平行状態を維持しながら移動することができる。
【００２１】
また、スクリーン１０は、図２に示すとおり、折り畳み可能なハニカムスクリーンで構成されている。ハニカムスクリーンは、角柱状の中空部を繰り返し配列したスクリーンである。このようなスクリーン１０は、一対のケーブル１５Ａ、１５Ｂの存在する平面に関して対称な形状をしているので、容易に自立することが可能であり、移動框１２の移動中にふらつくことはない。なお、スクリーン１０はハニカムスクリーンに限らず、蛇腹状のスクリーンであってもよい。
【００２２】
なお、本実施形態では、スクリーン１０に防火性、遮光性、透過性、防湿性などの機能を付与することもできる。また、スクリーン１０のうち室外面を構成する部分と室内面を構成する部分との間に異なる透過率特性を付与してもよい。例えば室外面を構成する部分と室内面を構成する部分との間に異なる色を付与してもよいし、異なる柄を付与してもよいし、異なる透過率を付与してもよい。そのために、室外面を構成する部分と室内面を構成する部分とに異なる素材を用いてもよい。
【００２３】
移動框１２にはスクリーン１０を拡げた状態に保持するためのストッパ部材１８が設けられている。ストッパ部材１８はマグネットで構成されており、アコーディオンドア１の設置先である固定枠（不図示）の他方側端に設けられたストッパ部材（不図示）と互いに引き寄せ合い、スクリーン１０を拡げた状態に維持することができる。ストッパ部材が引き寄せ合う力（磁力）の大きさは、リール１３Ａ、１３Ｂがケーブル１５Ａ、１５Ｂを巻き取る力に抗することが可能な程度であり、かつユーザが手、指、又は腕の力で簡単に外せる程度である。また、ストッパ部材は、マグネットに限定されることはなく、面ファスナーなどの他の部材で構成されてもよい。
【００２４】
尚、本考案は、上記各実施例に限定されず、本考案の技術思想を逸脱あるいは変更しない範囲内で種々な変形が可能である。
【符号の説明】
【００２５】
１      アコーディオンドア
１０    スクリーン
１０Ａ  挿通孔
１１    固定框
１２    移動框
１３    リール
１３Ａ  リール
１３Ｂ  リール
１５    ケーブル
１５Ａ  ケーブル
１５Ｂ  ケーブル
１６    固定具
１６Ａ  固定具
１６Ｂ  固定具
１７    回転子
１７Ａ  回転子
１７Ｂ  回転子
１８    ストッパ部材
【図１】
0003216491.tif 000003
【図２】
0003216491.tif 000004
【図３】
0003216491.tif 000005
【図４】
0003216491.tif 000006